(57)【特許請求の範囲】
【請求項１】
太陽光を受光するレシーバーを備えた支柱と、この支柱の周囲に配置され太陽光を前記レシーバーに向けて反射する複数のヘリオスタットとを有し、
前記支柱の遠方に配置されているヘリオスタットからの反射光を受光するレシーバーを支柱の上部に設け、前記支持体の近傍に配置されているヘリオスタットからの反射光を受光するセンターリフレクターを支柱の下部に設け、
更に、このセンターリフレクターの下方に、センターリフレクターにより反射された太陽光を受光するレシーバーを設けたことを特徴とする太陽熱発電装置。
【請求項２】
少なくとも３本の支柱を角錐状に組み付け、この支柱の上端側より上方に延長される柱体を設け、センターリフレクターを前記角錐状に組み付けられた支柱に固定し、更に、前記センターリフレクターの下方と、柱体にそれぞれレシーバーを設け、
前記支柱の遠方に配設されているヘリオスタットからの反射光を柱体に設けたレシーバーに受光させ、支柱の近傍に配置されているヘリオスタットからの反射光を柱体に設けたレシーバーに受光させ、支柱の近傍に配設されているヘリオスタットからの反射光をセンターリフレクターを介して支柱に設けたレシーバーに受光させることを特徴とする太陽熱発電装置。
【請求項３】
センターリフレクターを備えた支柱と、この支柱の周囲に配設された複数のヘリオスタットとを有する太陽熱発電装置において、
断面半円弧形状のセンターリフレクターの壁面に沿ってアーチ形状に形成され、一端側が前記支柱に支持されたフレームと、このフレームに沿って移動自在に取り付けられた清掃ロボットと、この清掃ロボットが取り付けられたフレームをセンターリフレクターの円周方向に移動させる移動手段とを備え、
前記清掃ロボットは、センターリフレクターの壁面に洗浄水を吹き付ける噴射装置を有することを特徴とする請求項１又は２記載の太陽熱発電装置における清掃装置。
【請求項４】
前記センターリフレクターの下方に設けたレシーバーは、円錐形状の受光部が設けられており、この受光部の太陽光が入射する入射口に、太陽光を透過し砂などの塵埃の侵入を防止する防塵手段を設けたことを特徴とする請求項１又は２記載の太陽熱発電装置。
【発明の詳細な説明】
【技術分野】
【０００１】
本発明は、太陽熱を利用した発電装置に関し、ヘリオスタットからの反射光の集光効率を増加し、発電効率を向上させる太陽熱発電装置に関するものである。
【背景技術】
【０００２】
近年、化石燃料を燃焼させた排気ガスによる地球温暖化、化石燃料の枯渇等の地球環境への関心が高まっており、前述の化石燃料に変わる代替エネルギーが注目されている。このような代替エネルギーとして、風力発電や太陽光発電が普及しつつある。
【０００３】
特に、太陽光を集光した熱で熱媒体を加熱し、この熱媒体の熱によって水蒸気を発生させ、この水蒸気により蒸気タービンを駆動して発電する集光型太陽熱発電装置が、従来の火力発電と同様の発電設備で稼働でき、高出力が得られるので注目されている。
【０００４】
このような集光型太陽熱発電装置としては、一方の面に反射面が形成された断面半円形状の反射板の軸方向に熱媒体が導入されるパイプが設けられたトラフ型太陽熱発電装置（例えば、特許文献１）、一方の面に反射面が形成された椀型の反射板と、反射板の近傍に熱媒体加熱部が設けられたディッシュ型太陽熱発電装置（例えば、特許文献２）、周囲に多数のヘリオスタットを設置し、熱媒体加熱部が頂部に設けられたタワーを中央に配置したタワー型太陽熱発電装置（例えば、特許文献３）、が提案されている。
【０００５】
また、周囲に多数のヘリオスタットを設置し、熱媒体加熱部を下部に設け、この熱媒体加熱部の上方に湾曲した反射鏡（センターリフレクター）を設けたビームダウン方式太陽熱発電装置が提案されている（例えば、非特許文献１）。
【０００６】
【特許文献１】ＷＯ２００５／０１７４２１
【特許文献２】特開２００４−１６９０５９号公報
【特許文献３】特開２００５−１０６４３２号公報
【非特許文献１】Solar Energy, Volume 62, Number 2, February 1998 , pp. 121-129(9)
【発明の開示】
【発明が解決しようとする課題】
【０００７】
（トラフ型）
前記トラフ型太陽熱発電装置は反射板の幅方向にかなり大型化しており、さらに縦横に多数設置して使用するので、反射板の設置面積がかなり大規模なものとなってしまう問題があった。
【０００８】
（ディッシュ型）
前記ディッシュ型は、反射板１枚毎に集光して熱媒体を加熱するのでコンパクトであるが、反射板の大きさには限度があり、大規模発電には適さないという問題があった。
【０００９】
（タワー型）
タワー型太陽熱発電装置は、図９に示すように、タワー１００の遠方に配設されたヘリオスタット１０２からレシーバー１０５の受光面１０５ａに照射される反射光Ｒ１０９は、受光面１０５ａへの入射角θ１が直角付近であって照射面積が狭いので単位面積当たりの光量が多くなり照度が強くなるので集熱量が高いが、近傍に配設されたヘリオスタット１０１から照射される反射光Ｒ１０８は受光面１０５ａに対して入射角度θ２が鋭角となりその受光面１０５ａに照射される反射光Ｒ１０８の照射面積が拡がって谷面積当たりの光量が減少し照度が弱くなるので集熱量が小さくなるという問題があった。
受熱効率をｓｉｎθ（入射角）で表すと、遠方に配設されたヘリオスタット１０２では約１００％、近傍に配設されたヘリオスタット１０１では５０％程度となる。
【００１０】
（ビームダウン方式）
ビームダウン方式太陽熱発電装置は、図１０に示すように、センターリフレクター１１６の遠方に配設したヘリオスタット１１２からの反射光Ｒ１１９は、センターリフレクター１１６の反射面１１６ａに対する入射角が鋭角となっているので、反射光Ｒ１１９がかなり傾斜した状態でセンターリフレクター１１６に入射する。結果、遠方に配設されたヘリオスタット１１２からセンターリフレクター１１６に照射される反射光Ｒ１１９の照射面積が広くなり、集熱効率が低下してしまうという問題があった。
更に、ヘリオスタットの設置半径が数１００ｍ程度であってもセンターリフレクターの直径が１００ｍ程度となってしまい、その重量も数百トンとなるので、支持構造物の強度の問題もあった。
【００１１】
（本発明）
本発明は、前記従来技術の課題に鑑み、レシーバーの近傍に配設したヘリオスタットからレシーバーに照射される反射光と、遠方に配設したヘリオスタットからレシーバーに照射される反射光とを、レシーバーへの照射面積が狭くなって照度が増加するようにした太陽熱発電装置を提供することを目的とする。
【課題を解決するための手段】
【００１２】
本発明に係るハイブリッド方式太陽熱発電装置は次のように構成されている。
【００１３】
１）太陽光を受光するレシーバーを備えた支柱と、この支柱の周囲に同心円状に配置され太陽光を前記レシーバーに向けて反射する複数のヘリオスタットとを有し、前記支柱は、上下方向に少なくとも２基のレシーバーを備えており、上方のレシーバーは遠方に配設されたヘリオスタットからの反射光を受光し、下方のレシーバーは近傍に配設されたヘリオスタットからの反射光を受光することを特徴としている。
【００１４】
２）レシーバーが受光する反射光の入射角が直角であるときの光度を１００％とした場合に、その光度が６０％以上となる位置に設置されているヘリオスタットからの反射光をレシーバーで受光することを特徴としている。
【００１５】
３）前記支柱の遠方に配設したヘリオスタットからこの支柱の上方に設けたレシーバーへ反射される反射光の入射角を７５°乃至１０５°とし、前記支柱の近傍に配設したヘリオスタットからこの支柱の下方に設けたレシーバーへ反射される反射光の入射角を７５°乃至１０５°としたことを特徴としている。
【００１６】
４）太陽光を受光するレシーバーを備えた支柱と、この支柱の周囲に同心円状に配置され太陽光を前記レシーバーに向けて反射する複数のヘリオスタットとを有し、前記支柱の遠方に配設されているヘリオスタットからの反射光を受光するレシーバーを支柱の上部に設け、前記支持体の近傍に配設されているヘリオスタットからの反射光を受光するセンターリフレクターを支柱の下部に設け、更に、このセンターリフレクターの下方に、センターリフレクターにより反射された太陽光を受光するレシーバーを設けたことを特徴としている。
【００１７】
５）少なくとも３本の支柱を角錐状に組み付け、この支柱の上端側より上方に延長される柱体を設け、センターリフレクターを前記角錐状に組み付けられた支柱に固定し、更に、前記センターリフレクターの下方と、柱体にそれぞれレシーバーを設け、前記支柱の遠方に配設されているヘリオスタットからの反射光を柱体に設けたレシーバーに受光させ、支柱の近傍に配設されているヘリオスタットからの反射光をセンターリフレクターを介して支柱に設けたレシーバーに受光させることを特徴としている。
【００１８】
６）センターリフレクターを備えた支柱と、この支柱の周囲に同心円状に配設された複数のヘリオスタットとを有する太陽熱発電装置において、断面半円弧形状のセンターリフレクターの壁面に沿ってアーチ形状に形成され、一端側が前記支柱に支持されたフレームと、このフレームに沿って移動自在に取り付けられた清掃ロボットと、この清掃ロボットが取り付けられたフレームをセンターリフレクターの円周方向に移動させる移動手段とを備え、前記清掃ロボットは、センターリフレクターの壁面に洗浄水を吹き付ける噴射装置を有することを特徴としている。
【００１９】
７）前記センターリフレクターの下方に設けたレシーバーは、円錐形状の受光部が設けられており、この受光部の太陽光が入射する入射口に、太陽光を透過し砂などの塵埃の侵入を防止する防塵手段を設けたことを特徴としている。
【発明の効果】
【００２０】
１）遠方に配設したヘリオスタットからの反射光を支柱の上部に設けたレシーバーで受光し、近傍に配設したヘリオスタットからの反射光を支柱の下部に設けたレシーバーで受光しており、更に、それぞれのレシーバーからの反射光に対して直交あるいはそれに近い角度となるようにレシーバーの受光板に俯角を設けたので、支柱の近傍から遠方に配設されたヘリオスタットからの反射光がレシーバーの受光板に直交あるいはそれに近い角度で入射するようになる。従って、レシーバーに入射する反射光の照射面積が狭くなって照度が強くなるので、レシーバーの受熱量が向上して溶融塩との熱交換効率も向上し、発熱量を増加させることができる。
【００２１】
２）近傍から遠方に配設されたヘリオスタットからの反射光を効率よく利用できるようになるので、大規模化による発電量の増大が可能となる。
【００２２】
３）清掃ロボットによりセンターリフレクターの表面に付着した砂やホコリなどが除去されるので、センターリフレクターからレシーバーへの反射効率の低下が防止される。
【００２３】
４）防塵手段により、レシーバーの受光部に砂などの塵埃が侵入して内壁の表面を曇らせてしまい、溶融塩との熱交換効率が低下してしまうことが防止される。
【００２４】
５）近傍から遠方にまで配設されたヘリオスタットからの反射光がレシーバーの受光板に照射される際の入射角を、直交あるいはこれに近い角度となる形状に受光板を形成したので、レシーバーの集熱量が向上して発電量が増加する。また、遠方に配設されたヘリオスタットからの集熱効率も向上するので、大規模化することができ、発電量を増大させることができる。
【発明を実施するための最良の形態】
【００２５】
以下、本発明に係る太陽熱発電装置について、図示して説明する。
【００２６】
（実施例１）
図１は、本発明に係る太陽熱発電装置Ａ１の概略構成図である。この太陽熱発電装置Ａ１は、太陽熱を吸熱して熱媒体へ伝導する熱交換器であるレシーバー１ａ，１ｂ，１ｃが支柱４の上部から下部にかけて複数設けられている。また、レシーバー１ａ，１ｂ，１ｃを備えた支柱４の周囲に、太陽光、即ち太陽熱を反射する複数の小鏡板からなる反射鏡ｍを備えたヘリオスタット６（６ａ，６ｂ，６ｃ）が同心円状に多数配設されている。
【００２７】
前記レシーバー１は、図２に示すように多数の板状の吸熱体を連結して円錐形状に形成した受熱板１ａと、その受熱板１ａの内周に沿って複数回巻かれた熱媒体管路９とを備えている。前記ヘリオスタット６は、太陽光Ｓの追尾装置と反射鏡ｍを上下左右に駆動する駆動装置とを備えており、太陽光Ｓをレシーバー１に向けて反射するように制御されている。
【００２８】
図１に示すように、支柱４の上段に配置されたレシーバー１ａは、遠方のヘリオスタット６ａからの反射光Ｒ１を受光するようになっている。支柱４の中段に設けられたレシーバー１ｂは、中間位置に配設されたヘリオスタット６ｂからの反射光Ｒ２を、支柱４の下段に設けたレシーバー１ｃは、支柱４の近傍に配設されたヘリオスタット６ｃからの反射光Ｒ３を受光するようになっている。
【００２９】
また、各々のレシーバー１ａ，１ｂ，１ｃに入射する反射光Ｒ１，Ｒ２，Ｒ３の入射角は、反射光の強度が６０％以上となるように、レシーバー１ａ，１ｂ，１ｃの受光板１ａの角度が調整されている。
【００３０】
詳しくは、前記反射光Ｒ１，Ｒ２，Ｒ３の入射角は、図２に示すように低入射角βが７５°〜高入射角γが１０５°の範囲となっている。即ち、受光板１ａに照射される太陽光の照射効率は、図３に示すように、受光板１ａへの太陽光の入射角が９０°（垂直）のときに最大となり、９０°よりも小さくなったり大きくなったりすると指数関数的に急速に低下するので、反射光の強度が６０％以上となる７５°〜１０５°の範囲となっているのである。
【００３１】
更に、受光板１ａは支柱４の軸方向に対して傾斜αで取り付けられており、この傾斜αは、各ヘリオスタット１ａ，１ｂ，１ｃからの反射光Ｒ１，Ｒ２，Ｒ３の入射角が７５°〜１０５°となるように調整されている。
【００３２】
即ち、入射角９０°のときに受光板１ａに向けて反射された太陽光の面積を１００とすると、入射角が７５°〜１０５°の範囲では、受光板１ａに対して太陽光が傾斜して照射されるのでその面積が１０４以内となる。従って、受光板１ａに対して垂直に太陽光を照射していないヘリオスタットであっても、その照射効率が６０％以上となっている。
【００３３】
更に、受光板１ａに照射される反射光の入射角を７５°〜１０５°としたことにより、図４に示すように、受光板１ａに照射される太陽光の入射角が９０°から最もズレているヘリオスタットであっても、６０％以上の発電効率を有している。
【００３４】
前記入射角は、図４（入射角と発電効率）に示すように発電効率が６０％以上となるように７５°〜１０５°の範囲に調整されていることから、前記図４に示すように入射角が前記範囲から外れると指数関数的に発電量が減少するので、入射角９０°のときの発電量を１００とした場合に、受光板１ａに照射される太陽光の入射角が９０°から最もズレているヘリオスタットであっても、その発電量が６０以上を維持できるようになっている。
【００３５】
ヘリオスタット群６は、図１に示すように、各レシーバー１ａ，１ｂ，１ｃのそれぞれへの反射光Ｒ１，Ｒ２，Ｒ３の入射角が前述の範囲となるように区分され、調整されている。即ち、支柱４の近傍から、近距離区域Ｃ１、中距離区域Ｃ２、遠距離区域Ｃ３がこの順で設けられており、各区域Ｃ１，Ｃ２，Ｃ３内に配設されているそれぞれのヘリオスタット６ａ，６ｂ，６ｃは所定のレシーバー１ａ，１ｂ，１ｃに太陽光を照射するよう調整されていると共に、レシーバー１ａ，１ｂ，１ｃに照射される反射光Ｒ１，Ｒ２，Ｒ３の入射角が前述の範囲（７５°〜１０５°）となるように調整されている。
【００３６】
具体的には、本実施例においては、各レシーバー１ａ，１ｂ，１ｃの設置高さは、遠距離用レシーバー１ａは約１０５ｍ（高さｈ３）、中距離用レシーバー１ｂは約６０ｍ（高さｈ２）、近距離用レシーバー１ｃは約３０ｍ（高さｈ１）となっており、前記各区域は、遠距離区域Ｃ３が約１００〜４００ｍ、中距離用区域Ｃ２は約５０〜２００ｍ、近距離区域Ｃ１は約１５〜６０ｍとなっており、各レシーバー１ａ，１ｂ，１ｃに照射される反射光Ｒ１，Ｒ２，Ｒ３の入射角が７５°〜１０５°の範囲となっている。
【００３７】
このように構成された太陽熱発電装置Ａ１は、ヘリオスタット群６から照射された反射光Ｒ１，Ｒ２，Ｒ３を所定のレシーバー１ａ，１ｂ，１ｃで受光し、各レシーバー１ａ，１ｂ，１ｃに供給されている熱媒体（例えば、亜硝酸ナトリウム４０％、硝酸ナトリウム７％、硝酸カリウム５３％等の溶融塩）を５００℃程度に加熱している。次いで、この高温の溶融塩を支柱４に併設した熱交換器に導入して水蒸気を発生させ、更にこの水蒸気によってタービン発電機を駆動して発電している。
【００３８】
溶融塩は、レシーバーで加熱されて高温用溶融塩タンクに貯留された後に、上記熱交換器に送られて発電に利用され、低温用溶融塩タンクに貯留される。前記高温用溶融塩タンク内には、太陽熱の得られない夜間等においても発電できるように、発電に十分な熱量を蓄熱できる量の溶融塩が蓄えられている。結果、昼夜連続で発電できるようになる。
【００３９】
本実施例により、ヘリオスタットからレシーバーに照射される反射光の入射角を直交あるいはこれに近い角度となるように複数のレシーバーを支柱に設けたので、ヘリオスタットからの反射光が照射されるレシーバーの受光面積が小さくなって照度が強くなり、結果、太陽熱の集熱量が向上し、溶融塩に付与される熱量が増加する。結果、発電量を増加することができる。
【００４０】
また、大規模化による集熱量が従来よりも大幅に向上するので、大規模発電が可能となる。
【００４１】
（実施例２）
本実施例は、図５に示すように、支柱１４の上部にレシーバー１１ａを設け、下部にセンターリフレクター１３とレシーバー１２とを設けている。前記センターリフレクター１３は、多数の小鏡板状の反射鏡１３ａにより断面半円弧状の湾曲形状に形成されており、支柱１４から複数のケーブル又は棒状の吊り手段１３ｃにより固定されている。
【００４２】
前記下部に設けたレシーバー１２は、上面にセンターリフレクター１３からの反射光を受け入れる集熱凹部が設けられており、この凹部の周囲に多数の熱媒体管路が設けられ、太陽熱を熱媒体に付与するようになっている。
【００４３】
図５に示すように、支柱１４の周囲には多数のヘリオスタット群１６が同心円状に配設され、支柱１４の近傍に配設されたヘリオスタット１６ｂと、遠方に配設されたヘリオスタット１６ａとに区分されている。支柱１４の近傍のヘリオスタット１６ｂは、太陽光Ｓの反射光Ｒ１１をセンターリフレクター１３へ照射し、遠方のヘリオスタット１６ａは上部のレシーバー１１ａに反射光Ｒ１２を照射するようになっている。更に、前記センターリフレクター１３に照射された反射光Ｒ１２は、下部のレシーバー１２に集光させている。
【００４４】
近傍に配設されたヘリオスタット１６ｂと遠方に配設されたヘリオスタット１６ａと、前記レシーバー１１ａとセンターリフレクター１３とは、このレシーバー１１ａ及びセンターリフレクター１３の受光面積が小さくなって照度が強くなるように調整されている。即ち、受光面積が小さくなるように入射光の入射角度が直交ないしこれに近い角度となっている。具体的には、前述の第１実施例と同様に入射角が７５°〜１０５°となっている。
【００４５】
前記センターリフレクター１３には、このセンターリフレクター１３の壁面（反射鏡面）を清掃する清掃手段Ｇが設けられている。この清掃手段Ｇは、図６に示すように、センターリフレクター１３の壁面１３ｃに沿ってアーチ形状に形成され、下端側が前記支柱１４に支持されたフレームｆと、このフレームｆに沿って移動自在に取り付けられた清掃ロボットＧＲと、この清掃ロボットＧＲが取り付けられたフレームｆをセンターリフレクター１３の円周方向に移動させる駆動装置ｍ２とを備えている。
【００４６】
前記フレームｆは、センターリフレクター１３に向けて照射される反射光のブロッキングを軽減するために細幅に形成されている。また、ヘリオスタット群６から照射される反射光による高熱に耐えられるように耐熱合金で製作され、また、軽量な合金が用いられている。合金としては、例えば、インコネル、ハステロイ等の高ニッケル鉄合金などを用いることができる。
【００４７】
フレームｆの上端側は、センターリフレクター１３の円環状周縁部に設けた駆動装置ｍ１に連結されており、フレームｆの下端側の駆動装置ｍ２と共にこのフレームｆを移動させている。なお、フレームｆは、支柱１４側の駆動装置ｍ２で支持された片持ちのものを使用することもできる。
【００４８】
清掃ロボットＧＲは、センターリフレクター１３の壁面１３ｃに洗浄水を吹き付ける洗浄装置ｎを有している。この洗浄装置ｎは、壁面１３ｃに付着した塵埃などを水洗する噴射ノズル等を備えている。また、洗浄装置ｎの周囲には、水洗水が外部に漏れ出すのを防止する合成樹脂製の覆いが設けられている。また、洗浄水は回収されて濾過装置で濾過された後、ノズルから噴射されるようにされており、水を循環して再利用するようにしている。また、発電用の熱媒体（溶融塩）の熱を利用した温水や水蒸気をノズルから噴射することもできる。
【００４９】
清掃手段Ｇは、センターリフレクター１３に反射光Ｒ１１，Ｒ１２が入射しない夜間等に動作するようになっており、コンピュータを用いて夜間に自動運転されている。
【００５０】
なお、ヘリオスタット群６から太陽熱を照射されている際には、清掃ロボットＧＲは、フレームｆの上端側か下端側に移動させるようになっており、太陽熱の影響を受けないようにしている。また、太陽光は、北半球側においては、センターリフレクター１３の北側に配設したヘリオスタットに強く照射するので、フレームｆをセンターリフレクター１３の南側に移動させ、太陽熱による影響とブロッキングとを軽減するようになっている。
【００５１】
本実施例により、レシーバー１１ａ，１２とセンターリフレクター１３とを備えた支柱１４の近傍に配設されたヘリオスタット１６ｂからの反射光Ｒ１２をセンターリフレクター１３に向けて照射し、支柱１４の遠方に配設されたヘリオスタット１６ａからの反射光をレシーバー１１ａに向けて照射するようにしたので、支柱１４の近傍から遠方まで配設されたヘリオスタットからの反射光を高効率でレシーバー１１ａ，１２で受光することができる。
【００５２】
結果、従来と同規模のヘリオスタットの設置面積（設置半径）であっても図１１に示すように発電量が増加し、更に、大規模化によって発電量を著しく増加させることができるのである。
【００５３】
（実施例３）
本実施例は、図７に示すように、柱体２５の上部にレシーバー２１ａが設けられ、下部に開脚して角錐状となっている支柱２４の空間にセンターリフレクター２３が設けられている。更に、このセンターリフレクター２３の下部には、レシーバー２２が設けられている。
【００５４】
前記レシーバー２２は、その上部に、センターリフレクター２３から反射された太陽熱を集熱するルツボ形状の集光部２２ｂが形成され、下部に、外周に熱媒体管路２２ｆが巻回された熱交換部２２ｃが設けられている。前記集光部２２ｂ内壁は、鏡面となっており太陽熱をその内部で反射しながら下部の熱交換部２２ｃに導入するようになっている。
【００５５】
更に、センターリフレクター２３の下方に設置したレシーバー２２の集光部２２ｂの開口部２２ａには、防塵手段ｇが設けられている。この防塵手段ｇは、太陽光（太陽熱）を透過するようになっていると共に砂などの塵埃が透過しないようになっている。防塵手段ｇとしては、例えば、硼硅酸ガラス等により制作された蓋板などを使用することができる。
【００５６】
防塵手段を設けたことにより、レシーバー２２の集光部２２ｂの開口部２２ａより砂などの塵埃がその集光部２２ｂの内側に侵入し、鏡面や熱交換部２２ｆが汚れてしまって集光効率や熱交換効率が低下するのを防止している。また、レシーバー２２は、その高さが５ｍ程度あり、また、その内部の清掃は容易でないので、防塵手段ｇを設けたことでメンテナンスに係る手間が省かれる。
【００５７】
本実施例により、遠方に配設したヘリオスタットからの反射光を上部のレシーバーで受光し、近傍に配設したヘリオスタットからの反射光を下部のセンターリフレクターを介して地上に設けたレシーバーに受光させたので、遠方から近傍に配設されたヘリオスタットから照射される太陽光の入射角が垂直に近づく。結果、レシーバーの受光面に照射される光の強度が強くなり、高温の溶融塩が得られるようになって大量の水蒸気を発生できるようになり、発電量が増加する。
【００５８】
センターリフレクターを角錐形状の支柱により支持するので、支持構造が高強度となって耐震性や耐風性が向上する。
【００５９】
また、センターリフレクターの下方に設置したレシーバーの入射口に防塵手段を設けたことにより、砂などの塵埃が集光部２２ｂの内側の鏡面を曇らせることによる溶融塩と反射光との熱交換効率が低下することが防止される。
【００６０】
また、センターリフレクターの下方に設けたレシーバーは、その受光部がるつぼ形状であり入射光の熱を外部に放出しにくい形状となっているので、熱効率が向上する。
【図面の簡単な説明】
【００６１】
【図１】本発明に係る太陽熱発電装置の概略図である。
【図２】本発明に係る太陽熱発電装置におけるレシーバーの概略断面図である。
【図３】レシーバーに照射される太陽熱の入射角と照射面積とを示す図である。
【図４】レシーバーに照射される太陽熱の入射角と発電量とを示す図である。
【図５】本発明に係る太陽熱発電装置の第２実施態様を示す図である。
【図６】清掃装置の概略図である。
【図７】本発明に係る太陽熱発電装置の第３実施態様を示す図である。
【図８】本発明に係る太陽熱発電装置の第３実施態様におけるレシーバーの概略図である。
【図９】従来のタワー型太陽熱発電装置の概略図である。
【図１０】従来のビームダウン方式太陽熱発電装置の概略図である。
【図１１】ヘリオスタットの設置半径と発電量とを示す図である。
【符号の説明】
【００６２】
Ａ１，Ａ２，Ａ３  太陽熱発電装置
Ｌ  太陽光
Ｌ１，Ｌ２，Ｌ３，Ｌ１１，Ｌ１２，Ｌ２１，Ｌ２２  反射光
ｃ１  近距離区間
ｃ２  中距離区間
ｃ３  遠距離区間
１ａ，１ｂ，１ｃ，１１ａ，１２，２１ａ，２２  レシーバー
４，１４，２４  支柱
６ａ，６ｂ，６ｃ，１６ａ，１６ｂ，２６ａ，２６ｂ  ヘリオスタット
１３，２３  センターリフレクター
２２ａ  開口部
２２ｂ  集光部
【図１】
0004463308.tif 000002
【図２】
0004463308.tif 000003
【図３】
0004463308.tif 000004
【図４】
0004463308.tif 000005
【図５】
0004463308.tif 000006
【図６】
0004463308.tif 000007
【図７】
0004463308.tif 000008
【図８】
0004463308.tif 000009
【図９】
0004463308.tif 000010
【図１０】
0004463308.tif 000011
【図１１】
0004463308.tif 000012